(57)【要約】      （修正有）【課題】連続して運転することができる固液分離装置を提供する。【解決手段】固液分離装置Ｓは、処理対象の液体を導入通路５、第１の濾過体側導入通路８を介して第１の濾過体６に導いて濾過し、導入通路５、第１の濾過体清掃導入通路１２、第２の濾過体清掃導入通路１３を介して処理対象の液体を第２の濾過体７に導くと共に、第２の濾過体７の濾過材を第２のエアー供給通路１８からのエアーにより撹拌して清掃し、処理対象の液体を導入通路５、第１の濾過体側導入通路８、第２の濾過体側導入通路９を介して第２の濾過体７に導いて濾過し、導入通路５、第１の濾過体清掃導入通路１２を介して処理対象の液体を第１の濾過体６に導くと共に、第１の濾過体６の濾過材を第１のエアー供給通路１７からのエアーにより撹拌して清掃するものである。【選択図】図１
0003214916.tif 000002
【実用新案登録請求の範囲】
【請求項１】
処理対象の液体中に含まれている固体粒子を分離するための固液分離装置であって、
前記処理対象の液体を導く導入通路と、
前記処理対象の液体中から前記固体粒子を分離するための第１の濾過体と、
前記処理対象の液体中から前記固体粒子を分離するための第２の濾過体と、
前記導入通路から分岐し、前記処理対象の液体を前記第１の濾過体の一方側へ前記処理対象の液体を導く第１の濾過体側導入通路と、
この第１の濾過体側導入通路の中途から分岐し、前記第２の濾過体の一方側へ前記処理対象の液体を導く第２の濾過体側導入通路と、
前記第１の濾過体で濾過された液体を排出する排出側第１の通路と、
前記第２の濾過体で濾過された液体を排出する排出側第２の通路と、
前記導入通路から分岐し、前記第１の濾過体の他方側から前記第１の濾過体に前記処理対象の液体を導き、前記第１の濾過体内の濾過材を清掃する第１の濾過体清掃導入通路と、
この第１の濾過体清掃導入通路から分岐し、前記第２の濾過体の他方側から前記第２の濾過体に前記処理対象の液体を導き、前記第２の濾過体内の濾過材を清掃する第２の濾過体清掃導入通路と、
前記第１の濾過体内の濾過材を清掃した液体を排出する清掃側第１の通路と、
前記第２の濾過体内の濾過材を清掃した液体を排出する清掃側第２の通路と、
エアーを供給するエアー供給源と、
このエアー供給源と前記第１の濾過体の他方側を接続し、エアーを供給する第１のエアー供給通路と、
前記エアー供給源と前記第２の濾過体の他方側を接続し、エアーを供給する第２のエアー供給通路と、
前記第１の濾過体側導入通路の中途に設けられ、前記第１の濾過体側導入通路を少なくとも、開閉することができる第１、第２の弁と、
前記第２の濾過体側導入通路の中途に設けられ、前記第２の濾過体側導入通路を少なくとも、開閉することができる第３の弁と、
前記排出側第１の通路の中途に設けられ、前記排出側第１の通路を少なくとも、開閉することができる第４の弁と、
前記排出側第２の通路の中途に設けられ、前記排出側第２の通路を少なくとも、開閉することができる第５の弁と、
前記第１の濾過体清掃導入通路の中途に設けられ、前記第１の濾過体側導入通路を少なくとも、開閉することができる第１’、第２’の弁と、
前記第２の濾過体清掃導入通路の中途に設けられ、前記第２の濾過体清掃導入通路を少なくとも、開閉することができる第３’の弁と、
前記清掃側第１の通路の中途に設けられ、前記清掃側第１の通路を少なくとも、開閉することができる第４’の弁と、
前記清掃側第２の通路の中途に設けられ、前記清掃側第２の通路を少なくとも、開閉することができる第５’の弁と、
前記第１のエアー供給通路の中途に設けられ、前記第１のエアー供給通路を少なくとも、開閉することができる第６の弁と、
前記第２のエアー供給通路の中途に設けられ、前記第１のエアー供給通路を少なくとも、開閉することができる第７の弁とを備え、
前記第２の濾過体側導入通路の前記第１の濾過体側導入通路からの分岐部は、前記第１の濾過体清掃導入通路に設けられた前記第１の弁と前記第２の弁との間であり、
前記第２の濾過体清掃導入通路の前記第１の濾過体清掃導入通路からの分岐部は、前記第１の濾過体清掃導入通路に設けられた前記第１’の弁と前記第２’の弁との間であり、
前記第１の弁、前記第２の弁、前記第４の弁、前記第７の弁、前記第１’の弁、前記第３’の弁、前記第５’の弁は開、前記第３の弁、前記第５の弁、前記第６の弁、前記第２’の弁、前記第４’の弁は閉として、処理対象の液体を前記導入通路、前記第１の濾過体側導入通路を介して前記第１の濾過体に導いて濾過し、前記導入通路、前記第１の濾過体清掃導入通路、前記第２の濾過体清掃導入通路を介して処理対象の液体を前記第２の濾過体に導くと共に、前記第２の濾過体の濾過材を前記第２のエアー供給通路からのエアーにより撹拌して清掃し、
前記第１の弁、前記第３の弁、前記第５の弁、前記第６の弁、前記第１’の弁、前記第２’の弁、前記第４’の弁は開、前記第２の弁、前記第４の弁、前記第７の弁、前記第３’の弁、前記第５’の弁は閉として、処理対象の液体を前記導入通路、前記第１の濾過体側導入通路、前記第２の濾過体側導入通路を介して前記第２の濾過体に導いて濾過し、前記導入通路、前記第１の濾過体清掃導入通路を介して処理対象の液体を前記第１の濾過体に導くと共に、前記第１の濾過体の濾過材を前記第１のエアー供給通路からのエアーにより撹拌して清掃する
ことを特徴とする固液分離装置。
【請求項２】
処理対象の液体を貯める第１のタンクと、
メッシュの濾過体と、
前記第１のタンクの前記処理対象の液体を前記メッシュの濾過体に導入する通路であるメッシュ濾過体導入通路と、
前記メッシュの濾過体で濾過された処理対象の液体を貯める第２のタンクとを備え、
この第２のタンクを導入通路に接続し、
清掃側第１の通路及び清掃側第２の通路を介して、処理対象の液体を前記第１のタンクに導き、
第１の濾過体の濾過は吸着による濾過であり、
第２の濾過体の濾過は吸着による濾過である
ことを特徴とする請求項１記載の固液分離装置。
【請求項３】
第１の弁、第２の弁、第４の弁、第７の弁、第１’の弁、第３’の弁、第５’の弁は開、第３の弁、第５の弁、第６の弁、第２’の弁、第４’の弁は閉として、処理対象の液体を導入通路、第１の濾過体側導入通路を介して第１の濾過体に導いて濾過し、前記導入通路、第１の濾過体清掃導入通路、第２の濾過体清掃導入通路を介して処理対象の液体を第２の濾過体に導くと共に、前記第２の濾過体の濾過材を第２のエアー供給通路からのエアーにより撹拌して清掃する運転態様は、第１の態様であり、
前記第１の弁、前記第３の弁、前記第５の弁、前記第６の弁、前記第１’の弁、前記第２’の弁、前記第４’の弁は開、前記第２の弁、前記第４の弁、前記第７の弁、前記第３’の弁、前記第５’の弁は閉として、処理対象の液体を前記導入通路、前記第１の濾過体側導入通路、前記第２の濾過体側導入通路を介して前記第２の濾過体に導いて濾過し、前記導入通路、前記第１の濾過体清掃導入通路を介して処理対象の液体を前記第１の濾過体に導くと共に、前記第１の濾過体の濾過材を前記第１のエアー供給通路からのエアーにより撹拌して清掃する運転態様は、第２の態様であり、
処理対象の液体の終了が前記第１の態様である場合、前記第２の態様として、前記第１の濾過体の濾材を前記第１のエアー供給通路からのエアーにより撹拌して清掃して終了し、
また、処理対象の液体の終了が前記第２の態様である場合、前記第１の態様として、前記第２の濾過体の濾材を前記第２のエアー供給通路からのエアーにより撹拌して清掃して終了する
ことを特徴とする請求項１記載の固液分離装置。
【考案の詳細な説明】
【技術分野】
【０００１】
本発明は、固液分離装置に係り、特に、連続して運転することができる固液分離装置に関する。
【背景技術】
【０００２】
従来、廃水から浮遊固形物を分離回収する固液分離装置がある。
【考案の概要】
【考案が解決しようとする課題】
【０００３】
この固液分離装置にあっては、濾過部分が汚れた場合、固液分離装置の運転を停止させて、濾過部分を清掃しなければならず、連続して運転することができないという問題点が生じた。
【０００４】
本考案は、上記の問題点を考慮してなされた固液分離装置を提供することにある。
【課題を解決するための手段】
【０００５】
請求項１記載の固液分離装置は、処理対象の液体中に含まれている固体粒子を分離するための固液分離装置であって、前記処理対象の液体を導く導入通路と、前記処理対象の液体中から前記固体粒子を分離するための第１の濾過体と、前記処理対象の液体中から前記固体粒子を分離するための第２の濾過体と、前記導入通路から分岐し、前記処理対象の液体を前記第１の濾過体の一方側へ前記処理対象の液体を導く第１の濾過体側導入通路と、この第１の濾過体側導入通路の中途から分岐し、前記第２の濾過体の一方側へ前記処理対象の液体を導く第２の濾過体側導入通路と、前記第１の濾過体で濾過された液体を排出する排出側第１の通路と、前記第２の濾過体で濾過された液体を排出する排出側第２の通路と、前記導入通路から分岐し、前記第１の濾過体の他方側から前記第１の濾過体に前記処理対象の液体を導き、前記第１の濾過体内の濾過材を清掃する第１の濾過体清掃導入通路と、この第１の濾過体清掃導入通路から分岐し、前記第２の濾過体の他方側から前記第２の濾過体に前記処理対象の液体を導き、前記第２の濾過体内の濾過材を清掃する第２の濾過体清掃導入通路と、前記第１の濾過体内の濾過材を清掃した液体を排出する清掃側第１の通路と、前記第２の濾過体内の濾過材を清掃した液体を排出する清掃側第２の通路と、エアーを供給するエアー供給源と、このエアー供給源と前記第１の濾過体の他方側を接続し、エアーを供給する第１のエアー供給通路と、前記エアー供給源と前記第２の濾過体の他方側を接続し、エアーを供給する第２のエアー供給通路と、前記第１の濾過体側導入通路の中途に設けられ、前記第１の濾過体側導入通路を少なくとも、開閉することができる第１、第２の弁と、前記第２の濾過体側導入通路の中途に設けられ、前記第２の濾過体側導入通路を少なくとも、開閉することができる第３の弁と、前記排出側第１の通路の中途に設けられ、前記排出側第１の通路を少なくとも、開閉することができる第４の弁と、前記排出側第２の通路の中途に設けられ、前記排出側第２の通路を少なくとも、開閉することができる第５の弁と、前記第１の濾過体清掃導入通路の中途に設けられ、前記第１の濾過体側導入通路を少なくとも、開閉することができる第１’、第２’の弁と、前記第２の濾過体清掃導入通路の中途に設けられ、前記第２の濾過体清掃導入通路を少なくとも、開閉することができる第３’の弁と、前記清掃側第１の通路の中途に設けられ、前記清掃側第１の通路を少なくとも、開閉することができる第４’の弁と、前記清掃側第２の通路の中途に設けられ、前記清掃側第２の通路を少なくとも、開閉することができる第５’の弁と、前記第１のエアー供給通路の中途に設けられ、前記第１のエアー供給通路を少なくとも、開閉することができる第６の弁と、前記第２のエアー供給通路の中途に設けられ、前記第１のエアー供給通路を少なくとも、開閉することができる第７の弁とを備え、前記第２の濾過体側導入通路の前記第１の濾過体側導入通路からの分岐部は、前記第１の濾過体清掃導入通路に設けられた前記第１の弁と前記第２の弁との間であり、前記第２の濾過体清掃導入通路の前記第１の濾過体清掃導入通路からの分岐部は、前記第１の濾過体清掃導入通路に設けられた前記第１’の弁と前記第２’の弁との間であり、前記第１の弁、前記第２の弁、前記第４の弁、前記第７の弁、前記第１’の弁、前記第３’の弁、前記第５’の弁は開、前記第３の弁、前記第５の弁、前記第６の弁、前記第２’の弁、前記第４’の弁は閉として、処理対象の液体を前記導入通路、前記第１の濾過体側導入通路を介して前記第１の濾過体に導いて濾過し、前記導入通路、前記第１の濾過体清掃導入通路、前記第２の濾過体清掃導入通路を介して処理対象の液体を前記第２の濾過体に導くと共に、前記第２の濾過体の濾過材を前記第２のエアー供給通路からのエアーにより撹拌して清掃し、前記第１の弁、前記第３の弁、前記第５の弁、前記第６の弁、前記第１’の弁、前記第２’の弁、前記第４’の弁は開、前記第２の弁、前記第４の弁、前記第７の弁、前記第３’の弁、前記第５’の弁は閉として、処理対象の液体を前記導入通路、前記第１の濾過体側導入通路、前記第２の濾過体側導入通路を介して前記第２の濾過体に導いて濾過し、前記導入通路、前記第１の濾過体清掃導入通路を介して処理対象の液体を前記第１の濾過体に導くと共に、前記第１の濾過体の濾過材を前記第１のエアー供給通路からのエアーにより撹拌して清掃するものである。
【０００６】
また、請求項２記載の固液分離装置は、請求項１記載の固液分離装置において、処理対象の液体を貯める第１のタンクと、メッシュの濾過体と、前記第１のタンクの前記処理対象の液体を前記メッシュの濾過体に導入する通路であるメッシュ濾過体導入通路と、前記メッシュの濾過体で濾過された処理対象の液体を貯める第２のタンクとを備え、この第２のタンクを導入通路に接続し、清掃側第１の通路及び清掃側第２の通路を介して、処理対象の液体を前記第１のタンクに導き、第１の濾過体の濾過は吸着による濾過であり、第２の濾過体の濾過は吸着による濾過である。
【０００７】
また、請求項３記載の固液分離装置は、請求項１記載の固液分離装置において、 第１の弁、第２の弁、第４の弁、第７の弁、第１’の弁、第３’の弁、第５’の弁は開、第３の弁、第５の弁、第６の弁、第２’の弁、第４’の弁は閉として、処理対象の液体を導入通路、第１の濾過体側導入通路を介して第１の濾過体に導いて濾過し、前記導入通路、第１の濾過体清掃導入通路、第２の濾過体清掃導入通路を介して処理対象の液体を第２の濾過体に導くと共に、前記第２の濾過体の濾過材を第２のエアー供給通路からのエアーにより撹拌して清掃する運転態様は、第１の態様であり、前記第１の弁、前記第３の弁、前記第５の弁、前記第６の弁、前記第１’の弁、前記第２’の弁、前記第４’の弁は開、前記第２の弁、前記第４の弁、前記第７の弁、前記第３’の弁、前記第５’の弁は閉として、処理対象の液体を前記導入通路、前記第１の濾過体側導入通路、前記第２の濾過体側導入通路を介して前記第２の濾過体に導いて濾過し、前記導入通路、前記第１の濾過体清掃導入通路を介して処理対象の液体を前記第１の濾過体に導くと共に、前記第１の濾過体の濾過材を前記第１のエアー供給通路からのエアーにより撹拌して清掃する運転態様は、第２の態様であり、処理対象の液体の終了が前記第１の態様である場合、前記第２の態様として、前記第１の濾過体の濾材を前記第１のエアー供給通路からのエアーにより撹拌して清掃して終了し、また、処理対象の液体の終了が前記第２の態様である場合、前記第１の態様として、前記第２の濾過体の濾材を前記第２のエアー供給通路からのエアーにより撹拌して清掃して終了するものである。
【考案の効果】
【０００８】
請求項１記載の固液分離装置によれば、固液分離装置の運転中、第１の濾過体、第２の濾過体の何れかを交互に濾過運転すると共に、濾過運転中、濾過していない第１の濾過体の濾過材、第２の濾過体の濾過材の何れかを清掃して、連続して運転することができる固液分離装置を提供することができる。
【０００９】
また、請求項３記載の固液分離装置によれば、上述した請求項１記載の考案の効果に加え、処理対象の液体の終了が第１の態様である場合、第２の態様として、第１の濾過体の濾材を第１のエアー供給通路からのエアーにより撹拌して清掃して終了し、また、処
対象の液体の終了が第２の態様である場合、第１の態様として、第２の濾過体の濾材を第２のエアー供給通路からのエアーにより撹拌して清掃して終了するため、次の固液分離装置の立ち上がり時、処理対象の液体を迅速に処理することができる。
【図面の簡単な説明】
【００１０】
【図１】図１は、本考案の一実施例の固液分離装置の概略的図である。
【考案を実施するための形態】
【００１１】
本考案の一実施例の固液分離装置を参照して説明する。
図１に示すＳは、固液分離装置で、固液分離装置Ｓは、処理対象の液体（例えば、一般家庭から排出される台所廃水、食品工場等から排出される有機系廃水等）中に含まれている固体粒子を分離して、固形異物を除去した液体を得るようにしたものである。
【００１２】
１は、処理対象の液体を第１のタンク２へ導く通路で、第１のタンク２は、処理対象の液体を貯めるタンクである。
３はメッシュの濾過体で、４は、第１のタンク２の処理対象の液体をメッシュの濾過体３に導入する通路であるメッシュ濾過体導入通路である。
なお、メッシュの濾過体３は、たとえば、特許第5780020号に開示された回転ドラム４である。
３１は、メッシュの濾過体３で処理する処理対象の液体を貯める第２のタンクである。
４’は、メッシュの濾過体３で処理した処理対象の液体を受け入れる第３のタンクである。
【００１３】
５は処理対象の液体を導く導入通路で、６は処理対象の液体中から固体粒子を分離するための第１の濾過体で、７は処理対象の液体中から固体粒子を分離するための第２の濾過体である。
第１の濾過体６は、穴あき前側プレート６１と穴あき後側プレート６２との間に濾材（ＰＶＡ、活性炭、チップ等）６３が収納されている。なお、第１の濾過体６の濾過は、例えば、吸着による濾過である。
また、第２の濾過体７は、第１の濾過体６と同様に、穴あき前側プレート７１と穴あき後側プレート７２との間に濾材（ＰＶＡ、活性炭、チップ等）７３が収納されている。    なお、第２の濾過体７の濾過は、例えば、吸着による濾過である。
【００１４】
８は、導入通路５から分岐し、処理対象の液体を第１の濾過体６の一方側へ処理対象の液体を導く第１の濾過体側導入通路で、９は、第１の濾過体側導入通路８の中途から分岐し、第２の濾過体７の一方側へ処理対象の液体を導く第２の濾過体側導入通路である。
そして、１０は第１の濾過体６で濾過された液体を排出する排出側第１の通路で、１１は第２の濾過体７で濾過された液体を排出する排出側第２の通路である。
【００１５】
また、１２は、導入通路５から分岐し、第１の濾過体６の他方側側から第１の濾過体６に処理対象の液体を導く第１の濾過体清掃導入通路で、１３は、第１の濾過体清掃導入通路１２から分岐し、第２の濾過体７の他方側から第２の濾過体７に処理対象の液体を導く第２の濾過体清掃導入通路である。
１４は、第１の濾過体６内の濾過材６３を清掃した液体を排出する清掃側第１の通路で、１５は、第２の濾過体７内の濾過材７３を清掃した液体を排出する清掃側第２の通路である。                                   
【００１６】
また、１６はエアーを供給するエアー供給源で、１７は、エアー供給源１６と第１の濾過体６の他方側を接続し、エアーを供給する第１のエアー供給通路で、１８は、エアー供給源１６と第２の濾過体７の他方側を接続し、エアーを供給する第２のエアー供給通路である。
【００１７】
また、１９、２０は、第１の濾過体側導入通路８の中途に設けられ、第１の濾過体側導入通路８を少なくとも、開閉することができる第１、第２の弁で、Ａは、導入通路５から第１の濾過体側導入通路８と第１の濾過体清掃導入通路１２へ分岐する分岐部で、Ｂは、第１の濾過体側導入通路８から第２の濾過体側導入通路９へ分岐する分岐部である。
第１の弁１９は、第１の濾過体側導入通路８の分岐部Ａと分岐部Ｂとの間に設けられ、
第２の濾過体側導入通路９の第１の濾過体側導入通路８からの分岐部Ｂは、第１の濾過体清掃導入通路８に設けられた第１の弁１９と第２の弁２０との間であり、第２の弁２０は、第１の濾過体側導入通路８の分岐部Ｂと第１の濾過体６との間に設けられている。
【００１８】
また、２１は、第２の濾過体側導入通路９の中途に設けられ、第２の濾過体側導入通路９を少なくとも、開閉することができる第３の弁で、２２は、排出側第１の通路１０の中途に設けられ、排出側第１の通路１０を少なくとも、開閉することができる第４の弁で、
２３は、排出側第２の通路１１の中途に設けられ、排出側第２の通路１１を少なくとも、開閉することができる第５の弁である。
【００１９】
また、１９’、２０’は、第１の濾過体清掃導入通路１２の中途に設けられ、第１の濾過体清掃導入通路１２を少なくとも、開閉することができる第１’、第２’の弁で、Ｃは、第１の濾過体清掃導入通路１２から第２の濾過体清掃導入通路１３へ分岐する分岐部である。
第１’の弁１９’は、第１の濾過体清掃導入通路１２の分岐部Ａと分岐部Ｃとの間に設けられ、第２の濾過体清掃導入通路１３の第１の濾過体清掃導入通路１２からの分岐部Ｃは、第１の濾過体清掃導入通路１３に設けられた第１’の弁１９’と第２’の弁２０’との間であり、第２’の弁２０’は、第１の濾過体清掃導入通路１２の分岐部Ｃと第１の濾過体６との間に設けられている。
２１’は、第２の濾過体清掃導入通路１３の中途に設けられ、第２の濾過体清掃導入通路１３を少なくとも、開閉することができる第３’の弁で、２２’は、清掃側第１の通路１４の中途に設けられ、清掃側第１の通路１４を少なくとも、開閉することができる第４’の弁で、２３’は、清掃側第２の通路１５の中途に設けられ、清掃側第２の通路１５を少なくとも、開閉することができる第５’の弁である。
【００２０】
また、２４は、第１のエアー供給通路１７の中途に設けられ、第１のエアー供給通路１７を少なくとも、開閉することができる第６の弁で、２５は、第２のエアー供給通路１８の中途に設けられ、第１のエアー供給通路１８を少なくとも、開閉することができる第７の弁である。
【００２１】
そして、第１の弁１９、第２の弁２０、第４の弁２２、第７の弁２５、第１’の弁１９’、第３’の弁２１’、第５’の弁２３’は開、第３の弁２１、第５の弁２３、第６の弁２４、第２’の弁２０’、第４’の弁２２’は閉として、処理対象の液体を導入通路５、第１の濾過体側導入通路８を介して第１の濾過体６に導いて濾過し、濾過された液体は、排出側第１の通路１０を介してタンク２００へ導かれる。
一方、導入通路５、第１の濾過体清掃導入通路１２、第２の濾過体清掃導入通路１３を介して処理対象の液体を第２の濾過体７に導くと共に、第２の濾過体７の濾過材７３を第２のエアー供給通路１８からのエアーにより撹拌して清掃する。清掃した後の液体は、清掃側第２の通路１５を介して、処理対象の液体は第１のタンク２に導かれるようになっている。
また、第１の濾過体６が汚れている場合、第１の弁１９、第３の弁２１、第５の弁２３、第６の弁２４、第１’の弁１９’、第２’の弁２０’、第４’の弁２２’は開、第２の弁２０、第４の弁２２、第７の弁２５、第３’の弁２１’、第５’の弁２３’は閉として、処理対象の液体を導入通路５、第１の濾過体側導入通路８、第２の濾過体側導入通路９を介して第２の濾過体７に導いて濾過し、濾過された液体は、排出側第２の通路１１を介してタンク２００へ導かれる。
一方、導入通路５、第１の濾過体清掃導入通路１２を介して処理対象の液体を第１の濾過体６に導くと共に、第１の濾過体６の濾過材６３を第１のエアー供給通路１７からのエアーにより撹拌して清掃するものである。清掃した後の液体は、清掃側第１の通路１４を介して、処理対象の液体は第１のタンク２に導かれるようになっている。
【００２２】
また、逆に、第１の弁１９、第３の弁２１、第５の弁２３、第６の弁２４、第１’の弁１９’、第２’の弁２０’、第４’の弁２２’は開、第２の弁２０、第４の弁２２、第７の弁２５、第３’の弁２１’、第５’の弁２３’は閉として、処理対象の液体を導入通路５、第１の濾過体側導入通路８、第２の濾過体側導入通路９を介して第２の濾過体７に導いて濾過し、濾過された液体は、排出側第２の通路１１を介してタンク２００へ導かれる。
一方、導入通路５、第１の濾過体清掃導入通路１２を介して処理対象の液体を第１の濾過体６に導くと共に、第１の濾過体６の濾過材６３を第１のエアー供給通路１７からのエアーにより撹拌して清掃するものである。清掃した後の液体は、清掃側第１の通路１４を介して、処理対象の液体は第１のタンク２に導かれるようになっている。
また、第２の濾過体７が汚れている場合、第１の弁１９、第２の弁２０、第４の弁２２、第７の弁２５、第１’の弁１９’、第３’の弁２１’、第５’の弁２３’は開、第３の弁２１、第５の弁２３、第６の弁２４、第２’の弁２０’、第４’の弁２２’は閉として、処理対象の液体を導入通路５、第１の濾過体側導入通路８を介して第１の濾過体６に導いて濾過し、濾過された液体は、排出側第１の通路１０を介してタンク２００へ導かれる。
一方、導入通路５、第１の濾過体清掃導入通路１２、第２の濾過体清掃導入通路１３を介して処理対象の液体を第２の濾過体７に導くと共に、第２の濾過体７の濾過材７３を第２のエアー供給通路１８からのエアーにより撹拌して清掃する。清掃した後の液体は、清掃側第２の通路１５を介して、処理対象の液体は第１のタンク２に導かれるようになっている。
なお、１０２は、排出側第１の通路１０、排出側第２の通路１１の通路内を開閉する弁で、２００は、排出側第１の通路１０、排出側第２の通路１１からの液体を貯めるタンクであり、Ｐ３は、タンク２００内の液体をタンク２００の外へ排出するためのポンプである。
【００２３】
従って、上述した固液分離装置Ｓによれば、固液分離装置Ｓの運転中、第１の濾過体６、第２の濾過体７の何れかを交互に濾過運転すると共に、濾過運転中、濾過していない第１の濾過体の濾過材６、第２の濾過体７の濾過材の何れかを清掃して、連続して運転することができる固液分離装置Ｓを提供することができる。
【００２４】
なお、第１の弁１９、第２の弁２０、第４の弁２２、第７の弁２５、第１’の弁１９’、第３’の弁２１’、第５’の弁２３’は開、第３の弁２１、第５の弁２３、第６の弁２４、第２’の弁２０’、第４’の弁２２’は閉として、処理対象の液体を導入通路５、第１の濾過体側導入通路８を介して第１の濾過体６に導いて濾過し、導入通路５、第１の濾過体清掃導入通路１２、第２の濾過体清掃導入通路１３を介して処理対象の液体を第２の濾過体７に導くと共に、第２の濾過体７の濾過材７３を第２のエアー供給通路１８からのエアーにより撹拌して清掃する運転態様は、第１の態様であり、
第１の弁１９、第３の弁２１、第５の弁２３、第６の弁２４、第１’の弁１９’、第２’の弁２０’、第４’の弁２２’は開、第２の弁２０、第４の弁２２、第７の弁２５、第３’の弁２１’、第５’の弁２３’は閉として、処理対象の液体を導入通路５、第１の濾過体側導入通路８、第２の濾過体側導入通路９を介して第２の濾過体７に導いて濾過し、導入通路５、第１の濾過体清掃導入通路１２を介して処理対象の液体を第１の濾過体６に導くと共に、第１の濾過体６の濾過材６３を第１のエアー供給通路１７からのエアーにより撹拌して清掃する運転態様は、第２の態様である。
処理対象の液体の終了が前記第１の態様である場合、前記第２の態様として、第１の濾過体６の濾過材６３を第１のエアー供給通路１７からのエアーにより撹拌して清掃して終了し、また、処理対象の液体の終了が前記第２の態様である場合、前記第１の態様として、第２の濾過体７の濾過材７３を第２のエアー供給通路１８からのエアーにより撹拌して清掃して終了する。
そのため、次の固液分離装置Ｓの立ち上がり時、処理対象の液体を迅速に処理することができる。
【００２５】
なお、第１のタンク２は、通路１を介して処理対象の液体を貯めると共に、清掃側第１の通路１４又は清掃側第２の通路１５からの液体を貯めるものである。１００は、清掃側第１の通路１４、清掃側第２の通路１５の通路内を開閉する開閉弁である。
メッシュの濾過体３は、メッシュ濾過体導入通路４を介して導かれた処理対象の液体をメッシュの開口部を通過できるか否かによって廃水から浮遊固形物を分離する。
メッシュ濾過体導入通路４に設けられたＰ１はポンプ、１０１は開閉弁である。
【００２６】
また、メッシュの濾過体３で濾過された処理対象の液体は、第２のタンク４’に貯められ、この第２のタンク４’は、導入通路５に接続されている。導入通路５に設けられたＰ２はポンプである。
【００２７】
なお、上述した第１の弁１９、第２の弁２０、第３の弁２１、第４の弁２２、第５の弁２３、第６の弁２４、第７の弁２５、第１’の弁１９’、第２’の弁２０’、第３’の弁２１’、第４’の弁２２’、第５’の弁２３’、開閉弁１００、開閉弁１０１、開閉弁１０２は、手動で開閉しても良く、また、図示しない制御装置により開閉制御するようにしても良い。
【符号の説明】
【００２８】
Ｓ      固液分離装置
１      タンク
２      第１のタンク
３      メッシュの濾過体
４      第３のタンク
５      導入通路
６      第１の濾過体
７      第２の濾過体
８      第１の濾過体側導入通路
９      第２の濾過体側導入通路
１０    排出側第１の通路
１１    排出側第２の通路
１９    第１の弁
２０    第２の弁
２１    第３の弁
２２    第４の弁
２３    第５の弁
２４    第６の弁
２５    第７の弁
１９’  第１’の弁
２０’  第２’の弁
２１’  第３’の弁
２２    第４’の弁
２３’  第５’の弁
【図１】
0003214916.tif 000003